(57)【特許請求の範囲】
【請求項１】
複数のカメラ映像を記録可能な記録再生装置において、
時刻およびカウンタ値のうち少なくとも１つを表示する７セグメント表示部を有し、
前記７セグメント表示部内に、カメラ番号を表示するカメラ番号表示部を有し、
表示モードに応じて、時刻およびカウンタ値のうち少なくとも１つを表示する時刻・カウンタ値表示モードと、カメラ番号を表示するカメラ番号表示モードとを切り換えることを特徴とする記録再生装置。
【請求項２】
カメラ番号表示モードの場合、カメラ番号表示部が、記録しているカメラ番号を点灯表示することを特徴とする請求項１記載の記録再生装置。
【請求項３】
カメラ番号表示モードの場合、その時点で記録しているカメラ番号の周囲を取り囲む位置にある７セグメント表示部を点灯表示することにより、その時点で記録しているカメラ番号を強調表示することを特徴とする請求項１記載の記録再生装置。
【請求項４】
カメラ番号表示モードの場合、その時点でモニタしているカメラ番号の周囲を取り囲む位置にある７セグメント表示部を点灯表示することにより、その時点でモニタしているカメラ番号を強調表示することを特徴とする請求項１記載の記録再生装置。
【発明の詳細な説明】
【０００１】
【発明の属する技術分野】
本発明は、銀行やコンビニエンスストア等で使用されている複数の監視カメラの映像を記録する記録再生装置に関する。
【０００２】
【従来の技術】
従来、複数の監視カメラの映像を入力し選択して出力するスイッチャと、スイッチャの出力映像を記録する記録再生装置が知られている。
【０００３】
最近では、上記スイッチャと記録再生装置が一体となった記録再生装置が製品化されている。
【０００４】
図３に従来の記録再生装置を含む監視システムの一構成例を示しており、カメラ１〜４の４つの映像を記録再生装置１００に入力し、記録再生装置１００で選択された１つの映像がモニタ１１でモニタ表示する構成になっている。
【０００５】
記録再生装置１００の内部を詳細に説明する。
【０００６】
カメラ１〜４の映像は、スイッチャ５に入力し、スイッチャ５の切換動作により選択された１つの映像を記録再生部７に送り、記録再生部７で記録する。記録際する媒体としては、磁気テープが一般的であったが、近年は、録再可能なディスクも利用されはじめている。
【０００７】
このような記録系の一連の動作は、制御部６で制御されており、これから説明するモニタ動作、再生動作、表示動作、キー受付動作も制御部６が制御している。
【０００８】
制御部６は、スイッチャ５で選択されたカメラ映像を記録再生部７に記録すると共に、スイッチャ５で選択されたカメラ映像をモニタ１１へ出力しモニタ表示する。
【０００９】
キー９は、記録開始ボタン、記録／再生停止ボタン、再生ボタン、早送り／巻戻しボタン、記録する時間モードの選択ボタン等がある。
【００１０】
表示部８０の中には、現在の時刻およびテープ移送量のカウンタ値を表示する７セグメント表示部およびカメラ番号表示部があり、図４（ａ），（ｂ）に示すようになっている。
【００１１】
図４（ａ）は、時刻およびテープ移送量のカウンタ値を表示する７セグメント表示部である時刻・カウンタ値表示部８１と、カメラ番号を表示するカメラ番号表示部８２が各々別々の位置にある。
【００１２】
図４（ａ）の例では、時刻・カウンタ値表示部８１は、時刻を示しており１２時３０分を示している。なお、時刻情報は、監視システムにおいて、犯罪発生時刻を特定するための必須の情報である。
【００１３】
図４（ａ）のカメラ番号表示部８２は、現在スイッチャ５で選択されてモニタ１１でモニタ表示されている映像のカメラ番号を表示している。そのため、何台のどのカメラで監視システムが動作しているのかが、カメラ番号表示部８２を一目見てもわからず、監視システムの動作状態が把握しにくいものであった。
【００１４】
図４（ｂ）は、図４（ａ）と同様、時刻・カウンタ値表示部とカメラ番号表示部が各々別々の位置にあるが、図４（ｂ）のカメラ番号表示部８３が、図４（ａ）のそれとは異なっている。
【００１５】
図４（ｂ）のカメラ番号表示部８３は、カメラ番号毎にボタンを設け、記録するカメラ番号全て（本例では１、２、３、４）を点灯表示し、そのうち、その時点で記録中のカメラ番号（本例では２）のボタンを表示色を変えて（図４（ｂ）では、表示色が異なることは斜線で表現）表示していた。なお、記録中のカメラ番号を表示する他の方法としては、ボタンを点滅する方法があった。
【００１６】
図４（ｂ）は図４（ａ）に比べ監視システムの状態（何台のどのカメラで監視システムが動作しているのか。そして現在記録（モニタ）しているのは何番のカメラ映像か。）がわかりやすくなっているものの、カメラ番号表示のために大きな表示スペースをさいている。表示スペースが大きくなると、コストアップや消費電力の増加につながっていた。
【００１７】
【発明が解決しようとする課題】
この記録再生装置においては、時刻・カウンタ値の表示およびカメラ番号表示において、表示のための広いスペースが必要でなく、且つ使用者にわかりやすく表示することが要求されている。
【００１８】
本発明は、時刻・カウンタ値およびカメラ番号表示を省スペースで使用者にわかりやすく表示することを目的とする。
【００１９】
【課題を解決するための手段】
この課題を解決するために本発明は、複数のカメラ映像を記録可能な記録再生装置において、時刻およびカウンタ値のうち少なくとも１つを表示する７セグメント表示部を有し、７セグメント表示部内に、カメラ番号を表示するカメラ番号表示部を有し、表示モードに応じて、時刻およびカウンタ値のうち少なくとも１つを表示する時刻・カウンタ値表示モードと、カメラ番号を表示するカメラ番号表示モードとを切り換えるように構成したものである。
【００２０】
これにより、時刻・カウンタ値およびカメラ番号表示を省スペースで使用者にわかりやすく表示する記録再生装置が得られる。
【００２１】
【発明の実施の形態】
本発明の請求項１に記載の発明は、複数のカメラ映像を記録可能な記録再生装置において、時刻およびカウンタ値のうち少なくとも１つを表示する７セグメント表示部を有し、前記７セグメント表示部内に、カメラ番号を表示するカメラ番号表示部を有し、表示モードに応じて、時刻およびカウンタ値のうち少なくとも１つを表示する時刻・カウンタ値表示モードと、カメラ番号を表示するカメラ番号表示モードとを切り換えるとしたものであり、２つの表示部が重なっているため省スペースで表示するとともに、モード毎に表示項目が切り替わるため表示項目が見やすいという作用を有する。
【００２２】
請求項２に記載の発明は、カメラ番号表示モードの場合、カメラ番号表示部が、記録しているカメラ番号を点灯表示することを特徴とする請求項１記載の記録再生装置としたものであり、請求項１の作用に加え、何台のどのカメラで監視システムが動作しているのかという監視システムの状態が一目でわかるという作用を有する。
【００２３】
請求項３に記載の発明は、カメラ番号表示モードの場合、その時点で記録しているカメラ番号の周囲を取り囲む位置にある７セグメント表示部を点灯表示することにより、その時点で記録しているカメラ番号を強調表示することを特徴とする請求項１記載の記録再生装置としたものであり、請求項１の作用に加え、現在選択記録しているのは何番のカメラ映像なのかがわかりやすいという作用を有する。
【００２４】
請求項４に記載の発明は、カメラ番号表示モードの場合、その時点でモニタしているカメラ番号の周囲を取り囲む位置にある７セグメント表示部を点灯表示することにより、その時点でモニタしているカメラ番号を強調表示することを特徴とする請求項１記載の記録再生装置としたものであり、請求項１の作用に加え、現在選択モニタしているのは何番のカメラ映像なのかがわかりやすいという作用を有する。
【００２５】
以下、本発明の実施の形態について、図１から図２を用いて説明する。
【００２６】
（実施の形態１）
図１は、本発明の一実施形態の記録再生装置を含む監視システムを示し、図１において従来例図３と異なるのは表示部８である。
【００２７】
よって、表示部８について、図２を用いて説明する。
【００２８】
図２は、表示部８の一部であり、時刻・カウンタ値表示とカメラ番号表示を兼用する表示部であり、キー９の操作による表示モードの切り換えにより図２（ａ）の時刻・カウンタ値表示モードと図２（ｂ）のカメラ番号表示モードに切り替わるものである。
【００２９】
図２（ａ）は、時刻・カウンタ値表示モードの表示例であり、時刻１２時３０分の表示がされている。この場合、カメラ番号に関する表示がないため、従来例に比べ見やすくなっている。
【００３０】
図２（ｂ）は、カメラ番号表示モードの表示例であり、図２（ａ）で時刻表示をしていた７セグメント表示部内に、カメラ番号を点灯表示している。この場合、時刻・カウンタ値表示モードに関する表示がないため、従来例に比べ見やすくなっている。
【００３１】
図２（ｂ）では、カメラ１からカメラ４の４台のカメラ映像が選択記録されていることを点灯表示している。この場合、上段６台分、下段６台分で最大１２台のカメラ番号が表示可能である。
【００３２】
また、カメラ２が現在記録中である場合に、その時点で記録しているカメラ番号の周囲を取り囲む位置にある７セグメント表示部を点灯表示することにより、その時点で記録しているカメラ番号を強調表示する構成になっている。よって使用者は、その時点で記録している映像が何番のカメラ映像なのかがわかりやすくなる。
【００３３】
また、本実施の形態の場合、記録映像は同時にモニタされているため、上記の強調表示は、モニタ映像を強調表示している例とも言うことができる。
【００３４】
以上のように本実施の形態によれば、モードに応じて表示部を兼用使用しているため、省スペースでかつ使用者にわかりやすく表示することができる。
【００３５】
なお、以上の説明では、記録再生装置の記録再生する媒体については、特に言及しなかったものの、媒体としては、磁気テープ、光ディスク、ハードディスク、半導体メモリ等あらゆる媒体が実施可能である。
【００３６】
なお、上記の説明では、記録映像は同時にモニタされている例を元に説明したが、記録再生装置によっては、記録映像とモニタ映像を異ならせるように設定ができるものもあるが、その場合も、記録映像とモニタ映像のどちらかを強調表示する場合も本発明の強調表示は適応可能である。
【００３７】
【発明の効果】
以上のように本発明によれば、時刻・カウンタ値およびカメラ番号表示を省スペースで使用者にわかりやすく表示するという有利な効果が得られる。
【図面の簡単な説明】
【図１】本発明の一実施の形態による記録再生装置を含む監視システムのブロック図
【図２】（ａ）本発明の一実施の形態による時刻・カウンタ値表示モードを示す図
（ｂ）本発明の一実施の形態によるカメラ番号表示モードを示す図
【図３】従来の記録再生装置を含む監視システムのブロック図
【図４】（ａ）従来の表示例を示す図
（ｂ）従来の表示例を示す図
【符号の説明】
１〜４  カメラ
５  スイッチャ
６  制御部
７  記録再生部
８  表示部
９  キー
１０  記録再生装置
１１  モニタ
【図１】
0003610845.tif 000002
【図２】
0003610845.tif 000003
【図３】
0003610845.tif 000004
【図４】
0003610845.tif 000005